(57)【要約】【課題】  ブロードキャスト配信の伝送経路を迅速に設定できる伝送装置、伝送システム、及び伝送方法を提供する。【解決手段】  伝送装置は、メッシュ状のネットワークに接続される伝送装置であって、当該伝送装置に要求されるデータ信号と同じデータ信号を受信している前記ネットワーク内の他の伝送装置を検出し、検出した該他の伝送装置から当該伝送装置に向けて該データ信号を分岐させる制御部を有する。【選択図】図２
2015073225.tif 000002
【特許請求の範囲】
【請求項１】
メッシュ状のネットワークに接続される伝送装置であって、
当該伝送装置に要求されるデータ信号と同じデータ信号を受信している前記ネットワーク内の他の伝送装置を検出し、検出した該他の伝送装置から当該伝送装置に向けて該データ信号を分岐させる制御部を有することを特徴とする伝送装置。
【請求項２】
前記制御部は、当該伝送装置に要求されるデータ信号を識別するための信号識別情報を含む要求信号を前記ネットワーク内の他の伝送装置に送信し、他の伝送装置から前記要求信号に対する応答信号を受信することにより、当該伝送装置に要求されるデータ信号と同じデータ信号を受信している他の伝送装置を検出することを特徴とする請求項１に記載の伝送装置。
【請求項３】
前記制御部は、複数の他の伝送装置から受信した前記応答信号のうち、最も早く受信した前記応答信号を送信した伝送装置のデータ信号を、当該伝送装置に分岐させることを特徴とする請求項２に記載の伝送装置。
【請求項４】
当該伝送装置に要求されるデータ信号と同じデータ信号を受信している他の伝送装置を識別する装置識別情報を記憶する記憶部を、さらに有し、
前記制御部は、前記装置識別情報に基づき、当該伝送装置に要求されるデータ信号と同じデータ信号を受信している他の伝送装置を検出することを特徴とする請求項１に記載の伝送装置。
【請求項５】
前記記憶部は、前記装置識別情報を、伝送装置ごとに優先度に対応付けて記憶し、
前記制御部は、前記装置識別情報に基づき検出した他の伝送装置が、当該伝送装置に向けてデータ信号を分岐できない場合、該検出した他の伝送装置より前記優先度が低い別の伝送装置を、前記装置識別情報に基づき、さらに検出することを特徴とする請求項４に記載の伝送装置。
【請求項６】
メッシュ状のネットワークに接続された複数の伝送装置を有し、
前記複数の伝送装置の少なくとも１つは、当該伝送装置に要求されるデータ信号と同じデータ信号を受信している前記ネットワーク内の他の伝送装置を検出し、検出した該他の伝送装置から当該伝送装置に向けて該データ信号を分岐させ、
前記他の伝送装置は、前記複数の伝送装置の少なくとも１つにより検出されたとき、該受信しているデータ信号を、前記複数の伝送装置の少なくとも１つに向けて分岐させることを特徴とする伝送システム。
【請求項７】
メッシュ状のネットワークに接続された複数の伝送装置の１つに要求されるデータ信号と同じデータ信号を受信している前記ネットワーク内の他の伝送装置を検出し、検出した該他の伝送装置から前記複数の伝送装置の１つに向けて該データ信号を分岐させることを特徴とする伝送方法。
【発明の詳細な説明】
【技術分野】
【０００１】
本件は、伝送装置、伝送システム、及び伝送方法に関する。
【背景技術】
【０００２】
通信需要の増加に伴い、高速光伝送方式が標準化されている。例えば、ＩＴＵ−Ｔ（International Telecommunication Union Telecommunication Standardization Sector（国際電気通信連合））勧告Ｇ．７０９は、約１．２５〜１００（Ｇｂｐｓ）の光伝送ネットワーク（OTN：Optical Transport Network）の技術を規定する。
【０００３】
ＯＴＮにおける光伝送は、ＯＴＵ(Optical channel Transport Unit)フレームと呼ばれるフォーマットの光信号に、複数のクライアント信号を収容することにより行われ、大容量の伝送を可能とする。ＯＴＵフレームに収容されるクライアント信号としては、ＳＤＨ（Synchronous Digital Hierarchy）フレーム、ＳＯＮＥＴ（Synchronous Optical NETwork）フレーム、及びイーサネット（登録商標、以下同様）フレームが挙げられる。
【０００４】
クライアント信号は、ＯＴＵフレーム内に多重されるＯＤＵ（ODU: Optical Data Unit）ごとに収容される。ＯＤＵの帯域種別は、ＯＤＵｋ（ｋ＝０，１、・・・・）により定義されている。例えば、ＯＤＵ０は、１．２５（Ｇｂｐｓ）のデータ単位であり、ＯＤＵ１は、２．５（Ｇｂｐｓ）のデータ単位であり、ＯＤＵ２は、１０（Ｇｂｐｓ）のデータ単位である。
【０００５】
ＯＴＮ技術は、ＯＤＵ単位で大容量のデータの伝送を実現するので、ブロードキャスト配信システムに適用されることより、映像や音楽などのコンテンツが、高品質かつ多チャンネルで、利用者に提供されることを可能とする。
【０００６】
ブロードキャスト配信技術に関し、例えば特許文献１には、サブネットワーク接続保護を有するＳＤＨ交差接続を介したマルチレートマルチキャストトラフィックの経路を、再配置によって探し出すための接続手順が開示されている。また、特許文献２には、ネットワークベースの通信システムにおいて、複数の送信先リンクに配信されるデータを物理レイヤで複製するネットワークベースのデータ配信方式が開示されている。
【先行技術文献】
【特許文献】
【０００７】
【特許文献１】特開平１０−２９４７２９号公報
【特許文献２】特開２００５−１９２２２３号公報
【発明の概要】
【発明が解決しようとする課題】
【０００８】
ネットワーク内の伝送路に障害が発生したとき、ＡＰＳ（Automatic Protection Switching）機能により伝送経路が現用系から予備系に切り替えられる。ＡＰＳ機能を実現する方式としては、例えば、１＋１プロテクション、ＵＰＳＲ（Uni-directional Path Switched Ring）、Ｏ−ＵＰＳＲ（Optical-UPSR）、及びＢＬＳＲ（Bi-directional Line Switched Ring）などが挙げられる。
【０００９】
ブロードキャスト配信システムでは、映像や音楽などのリアルタイム性が高いデータが伝送されるため、伝送経路の切り替えを迅速に行うことが望まれる。上記の方式によりＡＰＳ機能を実現する場合、配信サーバから利用者側の受信装置に至る伝送経路に沿って、予備系の帯域を予め確保する必要がある。これは、リング状のネットワークの場合に限らず、メッシュ状のネットワークに場合も同様である。
【００１０】
メッシュ状のネットワークのノード間の接続構成は、リング状のネットワークより複雑である。このため、メッシュ状のネットワークの場合、伝送経路の設定処理が複雑となり、迅速な伝送経路の切り替えの妨げとなる。もっとも、イーサネットのようなレイヤ２以上のネットワークの場合、フレームに含まれる宛先情報に基づくパケット転送処理により動的に伝送経路が切り替えられるので、伝送経路の設定処理は行われない。
【００１１】
しかし、上記のＯＴＮのように、レイヤ１のネットワークの場合、伝送経路の設定処理が行われるので、これを迅速に完了することが求められる。なお、このような問題は、伝送経路を切り替える場合だけでなく、配信サーバから利用者側の受信装置に至る伝送経路を、新たに設定する場合も同様に存在する。
【００１２】
そこで本件は上記の課題に鑑みてなされたものであり、ブロードキャスト配信の伝送経路を迅速に設定できる伝送装置、伝送システム、及び伝送方法を提供することを目的とする。
【課題を解決するための手段】
【００１３】
本明細書に記載の伝送装置は、メッシュ状のネットワークに接続される伝送装置であって、当該伝送装置に要求されるデータ信号と同じデータ信号を受信している前記ネットワーク内の他の伝送装置を検出し、検出した該他の伝送装置から当該伝送装置に向けて該データ信号を分岐させる制御部を有する。
【００１４】
本明細書に記載の伝送システムは、メッシュ状のネットワークに接続された複数の伝送装置を有し、前記複数の伝送装置の少なくとも１つは、当該伝送装置に要求されるデータ信号と同じデータ信号を受信している前記ネットワーク内の他の伝送装置を検出し、検出した該他の伝送装置から当該伝送装置に向けて該データ信号を分岐させ、前記他の伝送装置は、前記複数の伝送装置の少なくとも１つにより検出されたとき、該受信しているデータ信号を、前記複数の伝送装置の少なくとも１つに向けて分岐させる。
【００１５】
本明細書に記載の伝送方法は、メッシュ状のネットワークに接続された複数の伝送装置の１つに要求されるデータ信号と同じデータ信号を受信している前記ネットワーク内の他の伝送装置を検出し、検出した該他の伝送装置から前記複数の伝送装置の１つに向けて該データ信号を分岐させる工程を有する。
【発明の効果】
【００１６】
本明細書に記載の伝送装置、伝送システム、及び伝送方法は、ブロードキャスト配信の伝送経路を迅速に設定できるという効果を奏する。
【図面の簡単な説明】
【００１７】
【図１】実施例に係る伝送システムの構成を示す構成図である。
【図２】第１実施例に係る伝送装置の構成を示す構成図である。
【図３】ＯＴＵフレームの構成を示す構成図である。
【図４】オーバーヘッドの構成を示す構成図である。
【図５】ＴＣＭｉ領域の構成を示す構成図である。
【図６】第１識別情報記憶部の内容の一例を示す表である。
【図７】帯域情報記憶部の内容の一例を示す表である。
【図８】制御情報の構成例を示す構成図である。
【図９】第１実施例の適用例を示す図である。
【図１０】第１実施例の適用例を示す図である。
【図１１】第１実施例の適用例を示す図である。
【図１２】第１実施例の適用例を示す図である。
【図１３】第１実施例における要求側伝送装置の動作を示すフローチャートである。
【図１４】第１実施例における非要求側伝送装置の動作を示すフローチャートである。
【図１５】第２実施例に係る伝送装置の構成を示す構成図である。
【図１６】管理テーブルの内容の一例を示す表である。
【図１７】第２実施例の適用例を示す図である。
【図１８】第２実施例の適用例を示す図である。
【図１９】第２実施例における要求側伝送装置の動作を示すフローチャートである。
【図２０】第２実施例における非要求側伝送装置の動作を示すフローチャートである。
【図２１】受信装置から送信された送信指示信号を示す図である。
【図２２】要求側伝送装置のデータ信号の検出処理を示すフローチャートである。
【発明を実施するための形態】
【００１８】
図１は、実施例に係る伝送システムの構成を示す構成図である。伝送システムは、サーバ９０と、ネットワーク管理装置９２と、複数の受信装置（クライアント装置）９１と、メッシュ状のネットワーク８とを有する。ネットワーク８は、互いに接続された複数の伝送装置１を有し、サーバ９０から入力されたデータ信号ＤＴを複数の受信装置９１に伝送する。
【００１９】
サーバ９０、複数の伝送装置１、及び受信装置９１は、互いに光ファイバにより接続されている。各伝送装置１は、ネットワーク８を管理するネットワーク管理装置９２と接続されている。なお、図１において、カッコ内の数字（１−１）〜（３−３）は、ネットワーク内のノード番号を示す。
【００２０】
サーバ９０は、ネットワーク８を介して、例えば映像や音楽などのデータ信号ＤＴを複数の受信装置９１に配信する。すなわち、データ信号ＤＴは、複数の受信装置９１に送信されるブロードキャスト信号である。ブロードキャスト信号は、ネットワーク８を介してサーバ９０に接続される全ての受信装置９に送信されてもよいし、一部の受信装置９１に送信されてもよい。なお、図１において、ネットワーク８には、１つのデータ信号ＤＴのみが伝送されているが、複数種類のデータ信号が、異なる伝送経路で伝送されてもよい。
【００２１】
本例において、サーバ９０から各受信装置９１までのデータ信号ＤＴの伝送経路を、下記の（１）〜（３）の各ノードを経由する経路として仮定する。
（１）：ノード（１−１），（２−１），（３−１）
（２）：ノード（１−１），（１−２），（２−２），（３−２）
（３）：ノード（１−１），（１−２），（１−３），（２−３），（３−３）
【００２２】
ネットワーク管理装置９２は、上記の伝送経路、及びデータ信号ＤＴの帯域を各伝送装置１に設定する。
【００２３】
受信装置９１は、例えば、映像や音楽などの配信サービスの利用者宅に設置されるセットトップボックスである。受信装置９１は、サーバ９０からブロードキャスト配信されるデータ信号ＤＴを受信する。
【００２４】
伝送装置１は、ネットワーク８に接続され、例えば、ＩＴＵ−Ｔ勧告Ｇ．７０９に規定されるＯＴＮ技術に基づき、データ信号ＤＴをＯＴＵフレームに収納して伝送する。もっとも、伝送装置１は、これに限定されず、他の方式によりデータ信号ＤＴを伝送してもよい。
【００２５】
以下に述べるように、各受信装置９１の隣接ノード（３−１）〜（３−３）の伝送装置１は、障害発生によりデータ信号ＤＴを受信できなくなったとき、自律的に該データ信号ＤＴの伝送経路を再設定する。また、上記の伝送装置１は、受信装置９１が追加されたとき、受信装置９１からデータ信号ＤＴの送信指示に従い、自律的にデータ信号ＤＴの伝送経路を設定する。言い換えれば、上記の伝送装置１は、当該伝送装置１に要求されるデータ信号ＤＴの伝送経路を設定する。
【００２６】
伝送経路の設定のため、伝送装置１は、当該伝送装置１に要求されるデータ信号ＤＴと同じデータ信号ＤＴを受信している他の伝送装置１を検出し、検出した伝送装置１から当該伝送装置１に向けて該データ信号ＤＴを分岐させる。そして、伝送装置１は、該分岐させたデータ信号ＤＴを、受信装置９１へ送信する。これにより、伝送装置１は、データ信号ＤＴの送信元であるサーバ９０から受信装置９１までの伝送経路を設定する手間を省き、データ信号ＤＴを、検出した他の伝送装置１から受信装置９１まで伝送することができる。
【００２７】
なお、各伝送装置１の構成に差異はないが、以降の説明において、便宜上、データ信号ＤＴの要求が生ずる伝送装置１を「要求側伝送装置」と表記し、他の伝送装置１を「非要求側伝送装置」と表記する。また、以降の説明において、伝送システム内の伝送路を「方路」と表記する。例えば、図１に示されたノード（３−２）の伝送装置１は、方路＃１〜＃４に接続されており、そのうち、方路＃４は、受信装置９１との間の伝送路である。また、以降の説明において、各信号の送信方向または受信方向は、方路により示される。
【００２８】
（第１実施例）
図２は、第１実施例に係る伝送装置１の構成を示す構成図である。伝送装置１は、複数の受信処理部１０と、複数の送信処理部１１と、スイッチ部１３と、制御部１４とを有する。伝送装置１は、さらに、帯域情報記憶部１３０と、第１識別情報記憶部１３１と、送信側（クライアント側）ＯＤＵ処理部１２０と、データ抽出部１２１と、データ送信部１２２と、障害検出部１２３と、第２識別情報記憶部１２４とを有する。
【００２９】
受信処理部１０及び送信処理部１１は、それぞれ、方路ごとに設けられている。図１に示されたノード（３−２）の伝送装置１の場合、図２に示されるように、方路＃１〜＃３に対応する受信処理部１０及び送信処理部１１が設けられる。また、受信装置９１側の方路＃４については、送信側（クライアント側）ＯＤＵ処理部１２０、データ抽出部１２１、及びデータ送信部１２２が設けられている。
【００３０】
受信処理部１０は、ＯＴＵ受信部１００と、分離部１０１と、複数の受信側ＯＤＵ処理部１０２とを有し、該当する方路から受信したＯＴＵ信号Ｓの受信処理を行う。ＯＴＵ信号Ｓは、例えば、ＩＴＵ−Ｔ勧告Ｇ．７０９に規定されたＯＴＵフレームにより形成される。
【００３１】
図３は、ＯＴＵフレームの構成を示す構成図である。ＯＴＵフレーム６０は、オーバーヘッド領域、ペイロード領域、及びＦＥＣ（Forward Error Correction）領域を有する。なお、図３中の「ＯＨ」は、オーバーヘッドを表す。
【００３２】
オーバーヘッド領域は、ＦＡＳ（Frame Alignment Signal）オーバーヘッド、ＯＴＵオーバーヘッド、ＯＤＵオーバーヘッド、及びＯＰＵ（Optical channel Payload Unit）オーバーヘッドを含む。ＦＡＳオーバーヘッドは、受信処理におけるフレーム同期に用いられる。ＯＴＵオーバーヘッド及びＯＤＵオーバーヘッドは、監視情報や制御情報などを含む。また、ＦＥＣ領域は、誤り訂正符号を含む。
【００３３】
ペイロード領域は、複数のＯＤＵフレーム６１を多重して収容する。ＯＤＵフレーム６１の収容数は、ＯＴＵ信号Ｓの帯域、つまり上記のＯＤＵｘに基づいて決定される。例えば、ＯＴＵ信号Ｓの帯域がＯＤＵ２（１０（Ｇｂｐｓ））である場合、ＯＤＵ１（２．５（Ｇｂｐｓ））のＯＤＵフレーム６１を４つ収容することができる。
【００３４】
ＯＤＵフレーム６１は、オーバーヘッド領域及びペイロード領域を有する。オーバーヘッド領域は、ＯＴＵフレーム６０と同様に、ＦＡＳオーバーヘッド、ＯＴＵオーバーヘッド、ＯＤＵオーバーヘッド、及びＯＰＵオーバーヘッドを含む。また、ペイロード領域は、クライアント信号を収容する。クライアント信号は、利用者が送受信する対象となる信号であり、本例では上記のデータ信号ＤＴである。
【００３５】
図４は、オーバーヘッドの構成を示す構成図である。図４において、「Ｒｏｗ」及び「Ｂｙｔｅ」は、図３の「Ｒｏｗ」及び「Ｂｙｔｅ」にそれぞれ対応する。
【００３６】
ＯＤＵオーバーヘッドは、ＲＥＳ（REServed）、ＰＭ（Path Monitoring）＆ＴＣＭ（Tandem Connection Monitoring）、ＴＣＭ  ＡＣＴ（Activation/deactivation Control Channel）、ＴＣＭ１〜６、及びＦＴＦＬ（Fault Type & Fault Location reporting channel）を含む。ＯＤＵオーバーヘッドは、ＰＭ、ＥＸＰ（Experimental）、ＧＣＣ１，２、及びＡＰＳ（Automatic Protection Switching coordination channel）／ＰＣＣ（Protection Communication Channel）を、さらに含む。なお、上記の各パラメータの詳細については、ＩＴＵ−Ｔ勧告Ｇ．７０９に規定されている。
【００３７】
再び図２を参照すると、ＯＴＵ受信部１００は、受信したＯＴＵ信号Ｓが制御情報を含む場合、制御情報を抽出して制御部１４に出力する。制御情報は、例えば、ＯＴＵフレーム６０内のＧＣＣ１，２またはＲＥＳなどに挿入されている。制御部１４は、後述するように、制御情報の内容に応じて、データ信号ＤＴの伝送経路の設定に関する処理を行う。
【００３８】
分離部１０１は、ＯＴＵフレーム６０から１以上のＯＤＵフレーム６１を分離する。分離して得られたＯＤＵフレーム６１は、複数の受信側ＯＤＵ処理部１０２にそれぞれ入力される。複数の受信側ＯＤＵ処理部１０２は、それぞれ、ＯＤＵフレーム６１の受信処理を行う。また、受信側ＯＤＵ処理部１０２は、ＯＤＵフレーム６１から信号識別情報を抽出して第１識別情報記憶部１３１に書き込む。
【００３９】
信号識別情報は、データ信号ＤＴを識別するための固有の情報である。データ信号ＤＴは、ＯＤＵフレームごとに収容されるので、信号識別情報を参照することにより、ＯＤＵ信号Ｓｄを区別することができる。信号識別情報は、例えばＯＤＵフレーム６１のＯＤＵオーバーヘッド内のＴＣＭｉ領域（ｉ＝１〜６）（図４参照）に含まれてもよい。
【００４０】
図５は、ＴＣＭｉ領域の構成を示す構成図である。ＴＣＭ１〜６は、それぞれ、ＴＴＩ（Trail Trace Identifier）と、ＢＩＰ（Bit Interleaved Parity）−８とを含む。また、ＴＣＭ１〜６は、それぞれ、ＢＥＩ（Backward Error Indication）ｉ／ＢＩＡＥ（Backward Incoming Alignment Error）ｉと、ＢＤＩ（Backward Defect Indication）ｉと、ＳＴＡＴ（Status）ｉとを、さらに含む（ｉ＝１〜６）。
【００４１】
ＴＴＩは、ＳＡＰＩ（Source Access Point Identifier）と、ＤＡＰＩ（Destination Access Point Identifier）と、信号識別情報とを含む。信号識別情報は、サーバ９０によりＯＤＵフレーム６１に挿入される。
【００４２】
図６は、第１識別情報記憶部１３１の内容の一例を示す表である。図６は、例えば、方路＃１から受信したデータ信号ＤＴの信号識別情報が「Music_Channel_1」であり、方路＃２から受信したデータ信号ＤＴの信号識別情報が「Video_Channel_1」である場合を示す。このように、信号識別情報は、任意の名称、記号、及び番号を用いて構成することができる。
【００４３】
受信側ＯＤＵ処理部１０２は、信号識別情報を、ＯＤＵフレーム６１の受信ごとに抽出してもよいし、周期的に抽出してもよい。第１識別情報記憶部１３１に記憶された信号識別情報は、例えば、一定時間、同一の信号識別情報を含むＯＤＵフレーム６１が受信されない場合、自律的に消去される。このため、制御部１４は、第１識別情報記憶部１３１の信号識別情報を参照することにより、当該伝送装置１が受信しているデータ信号ＤＴを検出することができる。
【００４４】
受信側ＯＤＵ処理部１０２は、信号識別情報の抽出後、ＯＤＵフレーム６１を、ＯＤＵ信号Ｓｄとしてスイッチ部１３に出力する。スイッチ部１３は、受信処理部１０及び送信処理部１１の間を接続するクロスコネクトスイッチである。
【００４５】
送信処理部１１は、複数の送信側ＯＤＵ処理部１１０と、多重部１１１と、ＯＴＵ送信部１１２とを有する。受信側ＯＤＵ処理部１０２及び送信側ＯＤＵ処理部１１０，１２０は、スイッチ部１３を介して互いに接続されている。
【００４６】
スイッチ部１３は、制御部１４からの接続設定に従って、受信側ＯＤＵ処理部１０２及び送信側ＯＤＵ処理部１１０，１２０を接続する。このため、制御部１４は、スイッチ部１３を設定することにより、各方路から受信したＯＤＵ信号Ｓｄを、任意の方路へ送信することができる。
【００４７】
スイッチ部１３は、受信側ＯＤＵ処理部１０２及び送信側ＯＤＵ処理部１１０，１２０を、１対１の関係（符号ｄ１参照）、または１対複数の関係（符号ｄ２、ｄ３参照）で接続する。このため、スイッチ部１３は、１つのＯＤＵ信号Ｓｄを分岐させて、複数の方路に出力できる。
【００４８】
複数の送信側ＯＤＵ処理部１１０は、それぞれ、ＯＤＵ信号Ｓｄの送信処理を行う。送信処理されたＯＤＵ信号Ｓｄは、多重部１１１に入力される。多重部１１１は、複数のＯＤＵ信号ＳｄのＯＤＵフレーム６１を多重して、ＯＴＵ送信部１１２に出力する。
【００４９】
ＯＴＵ送信部１１２は、ＯＴＵフレーム６０を生成し、多重部１１１により多重されたＯＤＵフレーム６１を、ＯＴＵフレーム６０のペイロード領域に収納する。
【００５０】
また、ＯＴＵ送信部１１２は、制御部１４からの指示に従い、制御部１４により生成された制御情報をＯＴＵフレーム６０に挿入する。制御情報は、上述したように、例えばヘッダ内のＧＣＣ１，２またはＲＥＳに挿入される。ＯＴＵ送信部１１２は、ＯＴＵフレーム６０を、ＯＴＵ信号Ｓとして、該当する方路へ送信する。
【００５１】
各方路からのＯＤＵ信号Ｓｄのうち、受信装置９１に送信するデータ信号ＤＴを含むＯＤＵ信号Ｓｄは、スイッチ部１３から送信側ＯＤＵ処理部１２０に入力される。送信側ＯＤＵ処理部１２０は、ＯＤＵフレーム６１に障害情報が含まれる場合、障害情報を抽出して障害検出部１２３に出力する。なお、障害情報は、ＯＤＵフレーム６１のヘッダ内に含まれる。
【００５２】
障害検出部１２３は、例えば、障害情報のＡＩＳ（Alarm Indication Signal）に基づいて、伝送路障害を検出する。この場合、該伝送経路は伝送不可能な状態となるので、ＯＤＵフレーム６１には、データ信号ＤＴが含まれない。
【００５３】
また、送信側ＯＤＵ処理部１２０は、ＯＤＵフレーム６１から信号識別情報を抽出して、第２識別情報記憶部１２４に書き込む。信号識別情報は、例えば、図５を参照して説明したように、ＯＤＵオーバーヘッドのＴＣＭｉ領域に含まれる。第２識別情報記憶部１２４は、第１識別情報記憶部１３１と同様に、送信元の方路ごとに、受信装置９１が受信しているデータ信号ＤＴの信号識別情報を記憶する（図６参照）。
【００５４】
送信側ＯＤＵ処理部１２０は、信号識別情報を、ＯＤＵフレーム６１の受信ごとに抽出してもよいし、周期的に抽出してもよい。第２識別情報記憶部１２４に記憶された信号識別情報は、伝送路障害の発生によりデータ信号ＤＴが受信できなくなった場合、該データ信号Ｓｄの伝送経路の再設定を行うために、保持される。このため、制御部１４は、第２識別情報記憶部１２４の信号識別情報を参照することにより、伝送路障害により受信できなくなったデータ信号ＤＴ、つまり要求されるデータ信号ＤＴを検出することができる。
【００５５】
データ抽出部１２１は、ＯＤＵフレーム６１のペイロード領域からデータ信号ＤＴを抽出する。抽出されたデータ信号ＤＴは、データ送信部１２２に入力される。データ送信部１２２は、データ信号ＤＴを受信装置９１に送信する。
【００５６】
帯域情報記憶部１３０は、スイッチ部１３から入力される情報に基づき、方路ごとの使用帯域及び未使用帯域を記憶する。図７には、帯域情報記憶部１３０の内容の一例が示されている。
【００５７】
使用帯域及び未使用帯域は、ＯＴＵフレーム６０のペイロード領域に収容されるＯＤＵフレーム６１の帯域（ＯＤＵｘ）及び数として記憶される。例えば、方路＃１に送信するＯＴＵフレーム６０（ＯＤＵ２と仮定）は、３個のＯＤＵ０が使用され、５個のＯＤＵ０が未使用である。
【００５８】
制御部１４は、帯域情報記憶部１３０を参照することにより、受信装置９１に送信しているデータ信号ＤＴの帯域、及び、要求されるデータ信号ＤＴの伝送経路の設定の可否を判定できる。なお、帯域情報記憶部１３０の内容は、ネットワーク管理装置９２から書き込まれてもよい。
【００５９】
制御部１４は、例えばＣＰＵ（Central Processing Unit）などの演算処理装置であり、伝送装置１の動作を制御する。制御部１４は、障害検出部１２３から伝送路障害の発生が通知されたとき、データ信号ＤＴの伝送経路の再設定の処理を行う。なお、伝送経路の初期設定は、例えば、ネットワーク管理装置９２から各伝送装置１のスイッチ部１３に対して行われる。
【００６０】
制御部１４は、伝送経路の設定処理において、各種の制御情報を生成し、ＯＴＵ送信部１１２に出力する。ＯＴＵ送信部１１２は、入力された制御情報を、ＯＴＵフレーム６０のＯＤＵオーバーヘッドに挿入して、他の伝送装置１に送信する。また、制御部１４は、他の伝送装置１が送信した制御情報を、ＯＴＵ受信部１００から取得する。
【００６１】
図８は、制御情報の構成例を示す構成図である。制御情報は、例えば、４（Ｂｙｔｅ）のヘッダと、３２（Ｂｙｔｅ）の信号識別情報と、１（Ｂｙｔｅ）の制御コードと、２（Ｂｙｔｅ）の帯域コードと、２（Ｂｙｔｅ）のＣＲＣ（Cyclic Redundancy Check）値とを含む。
【００６２】
ヘッダは、ＯＴＵ受信部１００が制御情報を識別するための固有のデータパタンを含む。ヘッダのデータパタンは、限定されないが、例えば０ｘ５Ａ５Ａ５Ａ５Ａとしてもよい。なお、「０ｘ」は、１６進数であることを表す。
【００６３】
信号識別情報は、伝送経路の設定対象となるデータ信号ＤＴを示す。制御コードは、制御情報が示す内容を示す。制御コードが０ｘ００の場合、制御情報は、無効、つまり、何も処理を行わないことを示す。
【００６４】
制御コードが０ｘ０１の場合、制御情報は、要求側伝送装置１からのデータ信号ＤＴの要求を示す。要求されるデータ信号ＤＴは、信号識別情報により決定される。なお、以降の説明において、制御コードが０ｘ０１の制御情報を含むＯＴＵ信号Ｓを、「要求信号」と表記する。
【００６５】
制御コードが０ｘ０２の場合、制御情報は、要求信号に対する非要求側伝送装置１からの応答を示す。なお、以降の説明において、制御コードが０ｘ０２の制御情報を含むＯＴＵ信号Ｓを、「応答信号」と表記する。
【００６６】
制御コードが０ｘ０３の場合、制御情報は、要求側伝送装置１において、要求されたデータ信号ＤＴの受信が完了したことを示す。なお、以降の説明において、制御コードが０ｘ０３の制御情報を含むＯＴＵ信号Ｓを、「完了通知信号」と表記する。
【００６７】
制御コードが０ｘ０４の場合、制御情報は、非要求側伝送装置１において、完了通知信号を確認したことを示す。なお、以降の説明において、制御コードが０ｘ０４の制御情報を含むＯＴＵ信号Ｓを、「通知確認信号」と表記する。
【００６８】
帯域コードは、要求されるデータ信号ＤＴの帯域を示し、要求信号の場合に使用される。帯域コードが０ｘ００の場合、要求されるデータ信号ＤＴの帯域は、無効（例えば処理不可能な帯域値）である。
【００６９】
帯域コードが０ｘ０１の場合、要求されるデータ信号ＤＴの帯域は、ＯＤＵ０（１．２５（Ｇｂｐｓ））である。帯域コードが０ｘ０２の場合、要求されるデータ信号ＤＴの帯域は、ＯＤＵ１（２．５（Ｇｂｐｓ））である。帯域コードが０ｘ０３の場合、要求されるデータ信号ＤＴの帯域は、ＯＤＵ２（１０（Ｇｂｐｓ））である。帯域コードが０ｘ０４の場合、要求されるデータ信号ＤＴの帯域は、ＯＤＵ  Ｆｌｅｘ（クライアント信号に応じた柔軟な帯域）である。なお、０ｘ０５〜０ｘＦＦは、予備として用いられる。
【００７０】
ＣＲＣ値は、ヘッダ、信号識別情報、制御コード、及び帯域コードのデータ誤りを検出する誤り検出符号である。制御部１４は、ＣＲＣ値を用いて、制御情報に生じた１（Ｂｉｔ）または２（Ｂｉｔ）の誤りを訂正してもよい。
【００７１】
伝送経路の設定において、制御部１４の処理は、要求側伝送装置１及び非要求側伝送装置１の間で異なる。要求側伝送装置１の制御部１４は、当該伝送装置１に要求されるデータ信号ＤＴと同じデータ信号ＤＴを受信している非要求側伝送装置１を検出し、検出した非要求側伝送装置１から当該伝送装置１に向けて該データ信号ＤＴを分岐させる。一方、非要求側伝送装置１の制御部１４は、要求側伝送装置１により検出されたとき、受信しているデータ信号を、要求側伝送装置１に向けて分岐させる。以下の説明では、要求側伝送装置１及び非要求側伝送装置１を区別して、制御部１４の動作の詳細を述べる。
【００７２】
要求側伝送装置１において、制御部１４は、障害検出部１２３から伝送路障害などの発生が通知されると、第２識別情報記憶部１２４から、該伝送路障害により受信できなくなったデータ信号ＤＴの信号識別情報を取得する。また、制御部１４は、帯域情報記憶部１３０から、該データ信号ＤＴの帯域情報（ＯＤＵｘなど）を取得する。制御部１４は、取得した信号識別情報及び帯域情報を含む要求信号を生成し、受信装置９１側の方路以外の各方路へ送信する。
【００７３】
一方、非要求側伝送装置１において、制御部１４は、ＯＴＵ受信部１００から要求信号の受信が通知されると、第１識別情報記憶部１３１の信号識別情報を参照する。そして、制御部１４は、要求信号に含まれる信号識別情報に基づいて、要求されるデータ信号ＤＴを当該伝送装置１が受信しているか否かを判定する。また、制御部１４は、帯域情報記憶部１３０を参照し、要求信号に含まれる帯域コードに基づいて、要求されるデータ信号ＤＴの帯域を確保できるか否かを判定する。
【００７４】
制御部１４は、該データ信号ＤＴを受信し、かつ、その帯域の確保が可能である場合、該データ信号ＤＴが、要求側伝送装置１に向けて分岐されるように、スイッチ部１３を設定する。これにより、スイッチ部１３は、該データ信号ＤＴを含むＯＤＵ信号Ｓｄが２つの方路に分岐するように、受信側ＯＤＵ処理部１０２及び送信側ＯＤＵ処理部１１０，１２０を接続する（符号ｄ２、ｄ３参照）。２つの方路の一方は、要求されたデータ信号ＤＴを含むＯＤＵ信号Ｓｄの当初の送信先（伝送路障害の発生前からの送信先）であり、他方は、要求側伝送装置１に向かう方路である。
【００７５】
また、制御部１４は、応答信号を生成し、要求側伝送装置１に送信する。このとき、応答信号に含まれる信号識別情報は、受信した要求信号に含まれる信号識別情報と一致する。
【００７６】
また、制御部１４は、帯域の確保が可能であるが、要求されるデータ信号ＤＴと同じデータ信号を当該伝送装置１が受信していない場合、受信した要求信号を、要求側伝送装置１を除く他の伝送装置１に転送する。このとき、制御部１４は、ＯＴＵ受信部１００から通知された要求信号を複製して、ＯＴＵ送信部１１２に出力する。なお、この場合、制御部１４は、以降の処理においても、同様に他の制御情報を複製して転送し、また、分岐されたデータ信号ＤＴを受信した場合、該データ信号ＤＴが要求側伝送装置１に転送されるようにスイッチ部１３を設定する。
【００７７】
要求側伝送装置１において、制御部１４は、ＯＴＵ受信部１００から応答信号の受信が通知されると、該応答信号の送信元の非要求側伝送装置１から伝送されたＯＤＵ信号Ｓｄ（データ信号ＤＴ）が、受信装置９１に送信されるようにスイッチ部１３を設定する。このとき、スイッチ部１３は、該応答信号の送信元の方路の受信側ＯＤＵ処理部１０２と、受信装置９１側の方路の送信側ＯＤＵ処理部１２０とを接続する。そして、データ送信部１２２は、非要求側伝送装置１から伝送されたデータ信号ＤＴを、受信装置９１に送信する。
【００７８】
制御部１４は、複数の非要求側伝送装置１から応答信号を受信した場合、最も早く受信した応答信号を送信した伝送装置１のデータ信号ＤＴを、当該伝送装置１に向けて分岐させる。つまり、制御部１４は、複数の非要求側伝送装置１から伝送されたデータ信号ＤＴのうち、最先の応答信号の送信元の伝送装置１から伝送されたデータ信号ＤＴを選択する。このため、制御部１４は、要求信号に応じてデータ信号ＤＴを伝送した他の非要求側伝送装置１に、該伝送を中止させるため、完了通知信号を送信する。これにより、複数の非要求側伝送装置１の間におけるデータ信号ＤＴの伝送の競合が回避され、無駄な帯域の使用を防ぐことができる。
【００７９】
非要求側伝送装置１において、制御部１４は、ＯＴＵ受信部１００から完了通知信号の受信が通知されると、要求されたデータ信号ＤＴと同じデータ信号ＤＴを含むＯＤＵ信号Ｓｄの分岐が中止されるように、スイッチ部１３を設定する。より具体的には、制御部１４は、スイッチ部１３に対し、ＯＤＵ信号Ｓｄの分岐先となる２つの方路のうち、要求側伝送装置１の方路に対応する送信側ＯＤＵ処理部１１０，１２０への接続が解除されるように設定する。設定の完了後、制御部１４は、通知確認信号を生成し、要求側伝送装置１に送信する。
【００８０】
次に、本実施例の適用例を、図９〜図１２を参照して説明する。なお、本例において、ノード（３−２）の伝送装置１を、要求側伝送装置１とする。
【００８１】
図９に示されるように、ノード（１−２）及びノード（２−２）間の伝送路において、伝送路障害Ｆが発生した場合、ノード（２−２）の伝送装置１は、ＡＩＳなどの通知信号を要求側伝送装置１に送信する。なお、本例では、障害として伝送路障害Ｆを挙げるが、これに限定されず、伝送装置１の装置故障などの他の障害であってもよい。
【００８２】
要求側伝送装置１は、障害検出部１２３により伝送路障害Ｆの発生を検出すると、受信不可能となったデータ信号ＤＴと同じデータ信号ＤＴを受信している他の伝送装置（非要求側伝送装置）１を検出するために、方路＃１〜＃３へ要求信号ＲＥＱを送信する。なお、方路＃４は、受信装置９１に向かう方路であるので、方路＃４には要求信号は送信されない。
【００８３】
ノード（３−１），（３−３）の伝送装置１は、要求されるデータ信号ＤＴと同じデータ信号ＤＴを受信しているので、要求信号ＲＥＱを当該伝送装置１内で処理する。一方、ノード（２−２）の伝送装置１は、要求されるデータ信号ＤＴと同じデータ信号ＤＴを受信していないので、要求信号ＲＥＱを、隣接ノード（２−１），（２−３）の伝送装置１に転送する。
【００８４】
次に、図１０に示されるように、要求信号ＲＥＱを受信したノード（２−１），（２−３），（３−１），（３−３）の各伝送装置１は、要求側伝送装置１に応答信号ＲＳＰを送信する。また、ノード（２−１），（２−３），（３−１），（３−３）の各伝送装置１は、スイッチ部１３の設定により、要求されるデータ信号ＤＴを要求側伝送装置１に向けて分岐させる。このとき、ノード（２−２）の伝送装置１は、ノード（２−１），（２−３）の各伝送装置１からの応答信号ＲＳＰ及びデータ信号ＤＴを、要求側伝送装置１に転送する。
【００８５】
次に、図１１に示されるように、要求側伝送装置１は、スイッチ部１３の設定により、複数の非要求側伝送装置１から受信した応答信号ＲＳＰのうち、最も早く受信した応答信号ＲＳＰを送信した伝送装置１（以下、「最先の伝送装置」と表記）のデータ信号ＤＴを受信装置９１に送信する。なお、本例では、ノード（３−１）の伝送装置１を、最先の伝送装置１と仮定する。
【００８６】
また、要求側伝送装置１は、最先の伝送装置１を除く非要求側伝送装置１、つまりノード（２−１），（２−３），（３−３）の各伝送装置１に、完了通知信号ＮＴＦを送信する。このとき、ノード（２−２）の伝送装置１は、完了通知信号ＮＴＦをノード（２−１），（２−３）の各伝送装置１に転送する。
【００８７】
次に、図１２に示されるように、完了通知信号ＮＴＦを受信した非要求側伝送装置１は、要求側伝送装置１へのデータ信号ＤＴの伝送を停止する。伝送の停止後、非要求側伝送装置１は、要求側伝送装置１に通知確認信号ＣＮＦを送信する。要求側伝送装置１は、通知確認信号ＣＮＦを受信すると、完了通知信号ＮＴＦの送信を停止する。このようにして、要求側伝送装置１は、伝送路障害Ｆにより受信が不可能となったデータ信号ＤＴの伝送経路を再設定する。
【００８８】
図１３は、第１実施例における要求側伝送装置１の動作を示すフローチャートである。このフローチャートに示される処理は、障害検出部１２３により伝送路障害が検出されたことを契機として、制御部１４により実行される。
【００８９】
まず、制御部１４は、各方路に要求信号ＲＥＱを送信する（ステップＳｔ１）。このとき、制御部１４は、要求されるデータ信号ＤＴの信号識別情報を、第２識別情報記憶部１２４から取得し、要求されるデータ信号ＤＴの帯域を、帯域情報記憶部１３０から取得して、要求信号ＲＥＱを生成する。
【００９０】
次に、制御部１４は、他の伝送装置１からの応答信号ＲＳＰの受信の有無を判定する（ステップＳｔ２）。要求信号ＲＥＱの送信後、一定時間内に応答信号ＲＳＰの受信がない場合（ステップＳｔ２のＮＯ）、制御部１４は、ネットワーク管理装置９２に、伝送経路の設定の失敗を通知する（ステップＳｔ８）。
【００９１】
一方、要求信号ＲＥＱの送信後、一定時間内に応答信号ＲＳＰを受信した場合（ステップＳｔ２のＹＥＳ）、制御部１４は、複数の応答信号ＲＳＰのうち、最先の応答信号ＲＳＰの送信元の方路の信号識別情報を参照する（ステップＳｔ３）。なお、信号識別情報は、上述したように、第１識別情報記憶部１３１に、方路ごとに記憶されている。
【００９２】
次に、制御部１４は、当該伝送装置１に要求されるデータ信号ＤＴの信号識別情報が、第１識別情報記憶部１３１に記憶されているか否かを検出する（ステップＳｔ４）。つまり、制御部１４は、第１識別情報記憶部１３１を参照することにより、要求信号ＲＥＱを受信した他の伝送装置１から、要求されるデータ信号ＤＴを含むＯＤＵ信号が当該伝送装置１に伝送されているか否かを判定する。
【００９３】
一定時間内に、要求されるデータ信号ＤＴの信号識別情報が検出されない場合（ステップＳｔ４のＮＯ）、制御部１４は、ネットワーク管理装置９２に、伝送経路の設定の失敗を通知する（ステップＳｔ８）。なお、この場合、制御部１４は、設定失敗の通知に代えて、ステップＳｔ３の処理に戻り、他の応答信号ＲＳＰの送信元方路の信号識別情報を検出してもよい。
【００９４】
一定時間内に、要求されるデータ信号ＤＴの信号識別情報が検出された場合（ステップＳｔ４のＹＥＳ）、制御部１４は、応答信号ＲＳＰの送信元の伝送装置１から伝送されたＯＤＵ信号Ｓｄに含まれるデータ信号ＤＴを、受信装置９１に送信する（ステップＳｔ５）。このとき、制御部１４は、該伝送装置１の方路の受信処理部１０の受信側ＯＤＵ処理部１０２が、受信装置側の方路の送信側ＯＤＵ処理部１２０に接続されるように、スイッチ部１３を設定する。これにより、検出した他の伝送装置１から受信装置９１までの伝送経路が設定されるので、伝送路障害Ｆにより中断していたデータ信号ＤＴの伝送が再開される。
【００９５】
次に、制御部１４は、その他の応答信号ＲＳＰ（最先の応答信号ＲＳＰ以外の応答信号ＲＳＰ）の送信元の方路へ完了通知信号ＮＴＦを送信する（ステップＳｔ６）。つまり、制御部１４は、要求されるデータ信号ＤＴの送信元の伝送装置１以外の伝送装置１に対して、完了通知信号ＮＴＦを送信する。完了通知信号ＮＴＦは、一定時間、送信が継続される。なお、応答信号ＲＳＰが１つしか受信されなかった場合、本処理は実行されず、制御部１４は処理を終了する。
【００９６】
次に、制御部１４は、完了通知信号ＮＴＦの送信先の伝送装置１からの通知確認信号ＣＮＦの受信の有無を判定する（ステップＳｔ７）。ここで、制御部１４は、該当する伝送装置１の各々について判定する。
【００９７】
一定時間内に通知確認信号ＣＮＦが受信されない場合（ステップＳｔ７のＮＯ）、制御部１４は、ネットワーク管理装置９２に、伝送経路の設定の失敗を通知する（ステップＳｔ８）。一方、一定時間内に通知確認信号ＣＮＦが受信された場合（ステップＳｔ７のＹＥＳ）、制御部１４は、完了通知信号ＮＴＦの送信を停止する（ステップＳｔ９）。このようにして、要求側伝送装置１は、伝送経路の設定処理を行う。
【００９８】
一方、図１４は、本実施例における非要求側伝送装置１の動作を示すフローチャートである。制御部１４は、要求信号ＲＥＱを受信すると（ステップＳｔ１０のＹＥＳ）、各方路の信号識別情報を参照する（ステップＳｔ１１）。
【００９９】
次に、制御部１４は、要求されるデータ信号ＤＴの信号識別情報が、第１識別情報記憶部１３１に記憶されているか否かを検出する（ステップＳｔ１２）。つまり、制御部１４は、第１識別情報記憶部１３１を参照し、当該伝送装置１が、要求信号ＲＥＱに含まれる信号識別情報が示すデータ信号ＤＴ（要求されるデータ信号ＤＴと同じデータ信号ＤＴ）を受信しているか否かを検出する。
【０１００】
要求されるデータ信号ＤＴの信号識別情報が検出された場合（ステップＳｔ１２のＹＥＳ）、制御部１４は、帯域情報記憶部１３０を参照し、要求されるデータ信号ＤＴを、要求信号ＲＥＱの送信元方路へ送信するための空き帯域の有無を確認する（ステップＳｔ１３）。すなわち、制御部１４は、帯域情報記憶部１３０を参照し、該当する方路について、要求信号ＲＥＱに含まれる帯域コードが示す帯域の確保の可否を判定する。
【０１０１】
空き帯域がない場合（ステップＳｔ１３のＮＯ）、制御部１４は、処理を終了する。一方、空き帯域がある場合（ステップＳｔ１３のＹＥＳ）、制御部１４は、応答信号ＲＳＰを、要求信号ＲＥＱの送信元の方路へ送信する（ステップＳｔ１４）。
【０１０２】
このように、非要求側伝送装置１は、当該伝送装置１が受信しているデータ信号ＤＴを識別する信号識別情報から、要求信号ＲＥＱに含まれる信号識別情報に一致する信号識別情報を検索する。そして、一致する信号識別情報が検索された場合、非要求側伝送装置１は、応答信号ＲＳＰを要求側伝送装置１に送信する。このため、要求側伝送装置１は、当該伝送装置１に要求されるデータ信号ＤＴを受信している他の伝送装置１を、信号識別情報の比較結果により容易に検出することができる。
【０１０３】
次に、制御部１４は、要求されるデータ信号ＤＴと同じデータ信号ＤＴ（ＯＤＵ信号Ｓｄ）を分岐させて、要求信号ＲＥＱの送信元の方路へ送信する（ステップＳｔ１５）。このとき、制御部１４は、要求されるデータ信号ＤＴと同じデータ信号ＤＴ（ＯＤＵ信号Ｓｄ）が、当初の方路と、要求側伝送装置１に向かう方路とに分岐するように、スイッチ部１３を設定する（図２の符号ｄ２、ｄ３参照）。
【０１０４】
次に、制御部１４は、要求側伝送装置１からの完了通知信号ＮＴＦの受信の有無を判定する（ステップＳｔ１６）。一定時間内に完了通知信号ＮＴＦを受信しない場合（ステップＳｔ１６のＮＯ）、制御部１４は、処理を終了する。
【０１０５】
一方、一定時間内に完了通知信号ＮＴＦを受信した場合（ステップＳｔ１６のＹＥＳ）、制御部１４は、要求されるデータ信号ＤＴ（ＯＤＵ信号Ｓｄ）を要求信号ＲＥＱの送信元の方路へ送信することを停止する（ステップＳｔ１７）。このとき、制御部１４は、要求されるデータ信号ＤＴ（ＯＤＵ信号Ｓｄ）が、当初の方路だけに送信されるように、スイッチ部１３を設定する。
【０１０６】
次に、制御部１４は、要求信号ＲＥＱの送信元の方路へ通知確認信号ＣＮＦを送信する（ステップＳｔ１８）。その後、制御部１４は、処理を終了する。
【０１０７】
一方、要求されるデータ信号ＤＴの信号識別情報が検出されない場合（ステップＳｔ１２のＮＯ）、非要求側伝送装置１は、以降において、制御情報及びデータ信号ＤＴ（ＯＤＵ信号Ｓｄ）を転送する転送装置として振る舞う。この動作は、図９〜図１２に示されたノード（２−２）の伝送装置１の動作に該当する。
【０１０８】
まず、制御部１４は、帯域情報記憶部１３０を参照し、要求されるデータ信号ＤＴを、要求信号ＲＥＱの送信元方路へ送信するための空き帯域の有無を確認する（ステップＳｔ１９）。なお、本処理は、上述したステップＳｔ１３と同様であるので、ステップＳｔ１３の処理と統合されたうえで、例えばステップＳｔ１０の後に行われてもよい。
【０１０９】
空き帯域がない場合（ステップＳｔ１９のＮＯ）、制御部１４は、処理を終了する。一方、空き帯域がある場合（ステップＳｔ１９のＹＥＳ）、制御部１４は、要求信号ＲＥＱを、要求信号ＲＥＱの送信元の方路を除く各方路へ転送する（ステップＳｔ２０）。
【０１１０】
このように、非要求側伝送装置１は、要求信号ＲＥＱに含まれる信号識別情報に一致する信号識別情報が検索されなかった場合、要求信号ＲＥＱを他の伝送装置１に転送する。したがって、要求側伝送装置１は、要求されるデータ信号ＤＴと同じデータ信号ＤＴを、隣接ノードの伝送装置１が受信していない場合でも、要求されるデータ信号ＤＴと同じデータ信号ＤＴを受信している他の伝送装置１を検出できる。
【０１１１】
次に、制御部１４は、応答信号ＲＳＰの受信の有無を判定する（ステップＳｔ２１）。制御部１４は、一定時間内に応答信号ＲＳＰを受信しなかった場合（ステップＳｔ２１のＮＯ）、処理を終了する。一方、一定時間内に応答信号ＲＳＰを受信した場合（ステップＳｔ２１のＹＥＳ）、制御部１４は、受信した応答信号ＲＳＰを、要求信号ＲＥＱの送信元の方路へ転送する（ステップＳｔ２２）。
【０１１２】
次に、制御部１４は、応答信号ＲＳＰの送信元の方路の信号識別情報を参照する（ステップＳｔ２３）。次に、制御部１４は、要求されるデータ信号ＤＴの信号識別情報が、第１識別情報記憶部１３１に記憶されているか否かを検出する（ステップＳｔ２４）。つまり、制御部１４は、第１識別情報記憶部１３１の信号識別情報を参照し、当該伝送装置１が、要求信号ＲＥＱに含まれる信号識別情報が示すデータ信号ＤＴ（要求されるデータ信号ＤＴと同じデータ信号ＤＴ）を受信しているか否かを検出する。
【０１１３】
要求されるデータ信号ＤＴの信号識別情報が検出されない場合（ステップＳｔ２４のＮＯ）、制御部１４は、処理を終了する。一方、要求されるデータ信号ＤＴの信号識別情報が検出された場合（ステップＳｔ２４のＹＥＳ）、制御部１４は、要求されるデータ信号ＤＴ（ＯＤＵ信号Ｓｄ）を、要求信号ＲＥＱの送信元の方路へ転送する（ステップＳｔ２５）。このとき、制御部１４は、要求されるデータ信号ＤＴ（ＯＤＵ信号Ｓｄ）が、要求信号ＲＥＱの送信元の方路へ送信されるように、スイッチ部１３を設定する。
【０１１４】
次に、制御部１４は、完了通知信号ＮＴＦの受信の有無を判定する（ステップＳｔ２６）。制御部１４は、一定時間内に完了通知信号ＮＴＦを受信しなかった場合（ステップＳｔ２６のＮＯ）、処理を終了する。一方、一定時間内に完了通知信号ＮＴＦを受信した場合（ステップＳｔ２６のＹＥＳ）、制御部１４は、受信した完了通知信号ＮＴＦを、応答信号ＲＳＰの送信元の方路へ転送する（ステップＳｔ２７）。
【０１１５】
次に、制御部１４は、通知確認信号ＣＮＦの受信の有無を判定する（ステップＳｔ２８）。制御部１４は、一定時間内に通知確認信号ＣＮＦを受信しなかった場合（ステップＳｔ２８のＮＯ）、処理を終了する。一方、一定時間内に通知確認信号ＣＮＦを受信した場合（ステップＳｔ２８のＹＥＳ）、制御部１４は、受信した通知確認信号ＣＮＦを、完了通知信号ＮＴＦの送信元の方路へ転送する（ステップＳｔ２９）。このようにして、非要求側伝送装置１は、伝送経路の設定処理を行う。
【０１１６】
このように、本実施例において、要求側伝送装置１の制御部１４は、当該伝送装置１に要求されるデータ信号ＤＴを識別するための信号識別情報を含む要求信号ＲＥＱを他の伝送装置１に送信する。そして、制御部１４は、他の伝送装置１から要求信号ＲＥＱに対する応答信号ＲＳＰを受信することにより、当該伝送装置１に要求されるデータ信号ＤＴと同じデータ信号ＤＴを受信している他の伝送装置１を検出する。
【０１１７】
本実施例に係る伝送装置１によれば、ネットワーク８内のノード構成が不明である場合であっても、要求されるデータ信号ＤＴと同じデータ信号ＤＴを受信している他の伝送装置１を、要求信号ＲＥＱに対する応答信号ＲＳＰにより簡単に検出できる。
【０１１８】
（第２実施例）
上記の実施例では、制御部１４は、要求されるデータ信号ＤＴと同じデータ信号ＤＴを受信している他の伝送装置１を、要求信号ＲＥＱに対する応答信号ＲＳＰにより検出したが、これに限定されない。例えば、制御部１４は、以下に述べるように、伝送装置１の識別情報を管理する管理テーブルを用いて、要求されるデータ信号ＤＴと同じデータ信号ＤＴを受信している他の伝送装置１を、より迅速に検出してもよい。
【０１１９】
図１５は、本実施例に係る伝送装置１の構成を示す構成図である。図１５において、図２と共通する構成については、同一の符号を付し、その説明を省略する。
【０１２０】
伝送装置１は、複数の受信処理部１０と、複数の送信処理部１１と、スイッチ部１３と、制御部１４ａとを有する。伝送装置１は、さらに、帯域情報記憶部１３０と、第１識別情報記憶部１３１と、送信側ＯＤＵ処理部１２０と、データ抽出部１２１と、データ送信部１２２と、障害検出部１２３と、第２識別情報記憶部１２４と、管理テーブル記憶部（記憶部）１３２とを有する。
【０１２１】
要求側伝送装置１において、制御部１４ａは、先の実施例とは異なり、各方路に要求信号ＲＥＱを送信せず、管理テーブル記憶部１３２を参照することにより検出した他の伝送装置１だけに要求信号ＲＥＱを送信する。なお、制御部１４ａの他の処理（応答信号ＲＳＰの処理など）は、先の実施例の制御部１４と同様である。
【０１２２】
管理テーブル記憶部１３２は、当該伝送装置１に要求されるデータ信号ＤＴと同じデータ信号ＤＴを受信している他の伝送装置１を識別する装置識別情報の管理テーブルを記憶する。管理テーブルの内容は、例えばネットワーク管理装置９２により設定される。図１６には、管理テーブルの内容の一例が示されている。
【０１２３】
図１６において、「ノード」は、当該伝送装置１のノード番号を示し、「信号識別情報」は、当該伝送装置１に要求されるデータ信号ＤＴの信号識別情報を示す。また、「要求対象ノード」は、要求信号ＲＥＱの送信先のノード番号（装置識別情報）を示し、「方路」は、上記「ノード」が示す当該伝送装置１から見た該ノードの方路を示す。さらに、「要求対象ノード」は、装置ごとに「優先度」に対応付けられて記憶されている。ここで、「優先度」は、番号が若いほど、優先順位が高い。なお、ノード番号は、図２中に示されたノード番号に対応する。
【０１２４】
例えば、ノード（３−２）において、「Video_Channel_1」のデータ信号ＤＴが、伝送路障害により受信できなくなった場合、制御部１４ａは、要求信号ＲＥＱを方路＃１のノード（３−１）の伝送装置１に送信する。また、ノード（３−１）において、「Video_Channel_1」のデータ信号ＤＴが、伝送路障害により受信できなくなった場合、制御部１４ａは、要求信号ＲＥＱを方路＃３のノード（３−２）の伝送装置１に送信する。
【０１２５】
また、制御部１４ａは、「要求対象ノード」に基づき検出した他の伝送装置１が、当該伝送装置１に向けてデータ信号ＤＴを分岐できない場合、該検出した他の伝送装置１より「優先度」が低い別の伝送装置１を、「要求対象ノード」に基づき、さらに検出する。つまり、制御部１４ａは、検出した「要求対象ノード」の伝送装置１が、障害などの要因のためにデータ信号ＤＴ（ＯＤＵ信号Ｓｄ）を当該伝送装置１に向けて分岐できないとき、該伝送装置１ｂの次の「優先度」の伝送装置１を検出して、データ信号ＤＴを分岐させる。
【０１２６】
例えば、ノード（３−２）において、制御部１４ａは、「優先度」が「１」であるノード（３−１）の伝送装置１からデータ信号ＤＴが伝送されないとき、「優先度」が「２」であるノード（３−３）の伝送装置１に要求信号ＲＥＱを送信する。また、ノード（３−１）において、制御部１４ａは、「優先度」が「１」であるノード（３−２）の伝送装置１からデータ信号ＤＴが伝送されないとき、「優先度」が「２」であるノード（３−３）の伝送装置１に要求信号ＲＥＱを送信する。
【０１２７】
次に、本実施例の適用例を、図１７及び図１８を参照して説明する。なお、本例において、ノード（３−２）の伝送装置１を、要求側伝送装置１とする。
【０１２８】
図１７に示されるように、ノード（１−２）及びノード（２−２）間の伝送路において、伝送路障害Ｆが発生した場合、ノード（２−２）の伝送装置１は、ＡＩＳなどの通知信号を要求側伝送装置１に送信する。要求側伝送装置１は、障害検出部１２３により伝送路障害Ｆの発生を検出すると、受信不可能となったデータ信号ＤＴを受信している他の伝送装置（非要求側伝送装置）１を検出するために、管理テーブル記憶部１３２の管理テーブルを参照する。
【０１２９】
本例において、要求側伝送装置１のノードは、（３−２）であり、伝送路障害Ｆにより受信不可能となったデータ信号ＤＴの信号識別情報を「Video_Channel_1」とすると、「要求対象ノード」は、ノード（３−１）であり、その「方路」は、方路＃１である（図６参照）。したがって、要求側伝送装置１の制御部１４ａは、要求信号ＲＥＱを、方路＃１のノード（３−１）の伝送装置１に送信する。
【０１３０】
次に、図１８に示されるように、要求信号ＲＥＱを受信したノード（３−１）の伝送装置１は、要求されるデータ信号ＤＴと同じデータ信号ＤＴを受信しているので、要求側伝送装置１に応答信号ＲＳＰを送信する。また、ノード（３−１）の伝送装置１は、スイッチ部１３の設定により、該データ信号ＤＴを要求側伝送装置１に向けて分岐させる。
【０１３１】
そして、要求側伝送装置１は、スイッチ部１３の設定により、ノード（３−１）の伝送装置１から伝送されたデータ信号ＤＴを、受信装置９１に送信する。このようにして、要求側伝送装置１は、伝送路障害Ｆにより受信が不可能となったデータ信号ＤＴの伝送経路を再設定する。
【０１３２】
図１９は、本実施例における要求側伝送装置１の動作を示すフローチャートである。このフローチャートに示される処理は、障害検出部１２３により伝送路障害が検出されたことを契機として、制御部１４ａにより実行される。
【０１３３】
制御部１４ａは、管理テーブル記憶部１３２の管理テーブルを参照し、要求されるデータ信号ＤＴを受信している他の伝送装置１を検出する（ステップＳｔ３１）。このとき、制御部１４ａは、「優先度」が最も高い伝送装置１を検出する。制御部１４ａは、管理テーブルを参照することにより、迅速に他の伝送装置１を検出することができる。
【０１３４】
次に、制御部１４ａは、検出した伝送装置１の方路に向けて要求信号ＲＥＱを送信する（ステップＳｔ２）。このとき、制御部１４ａは、管理テーブルに記憶された「方路」を参照する。
【０１３５】
次に、制御部１４ａは、要求信号ＲＥＱの送信先の伝送装置１からの応答信号ＲＳＰの受信の有無を判定する（ステップＳｔ３３）。要求信号ＲＥＱの送信後、一定時間内に応答信号ＲＳＰを受信した場合（ステップＳｔ３３のＹＥＳ）、制御部１４ａは、応答信号ＲＳＰの送信元の方路の信号識別情報を参照する（ステップＳｔ３４）。
【０１３６】
次に、制御部１４ａは、当該伝送装置１に要求されるデータ信号ＤＴの信号識別情報が、第１識別情報記憶部１３１に記憶されているか否かを検出する（ステップＳｔ３５）。つまり、制御部１４ａは、第１識別情報記憶部１３１を参照することにより、要求信号ＲＥＱを受信した他の伝送装置１から、要求されるデータ信号ＤＴを含むＯＤＵ信号が当該伝送装置１に伝送されているか否かを判定する。
【０１３７】
一定時間内に、要求されるデータ信号ＤＴの信号識別情報が検出された場合（ステップＳｔ３５のＹＥＳ）、制御部１４ａは、応答信号ＲＳＰの送信元の伝送装置１から伝送されたＯＤＵ信号Ｓｄに含まれるデータ信号ＤＴを、受信装置９１に送信する（ステップＳｔ３６）。このとき、制御部１４ａは、該伝送装置１の方路の受信処理部１０の受信側ＯＤＵ処理部１０２が、受信装置９１側の送信側ＯＤＵ処理部１２０に接続されるように、スイッチ部１３を設定する。これにより、検出した他の伝送装置１から受信装置９１までの伝送経路が設定されるので、伝送路障害Ｆにより中断していたデータ信号ＤＴの伝送が再開される。
【０１３８】
また、応答信号ＲＳＰを受信しなかった場合（ステップＳｔ３３のＮＯ）、またはデータ信号ＤＴと同じデータ信号ＤＴが検出されなかった場合（ステップＳｔ３５のＮＯ）、制御部１４ａは、管理テーブルから、優先度が低い（優先度「２」）他の伝送装置１を検出する（ステップＳｔ３７）。
【０１３９】
他の伝送装置１を検出した場合（ステップＳｔ３７のＹＥＳ）、制御部１４ａは、再びステップＳｔ３２から処理を実行する。したがって、要求側伝送装置１は、検出した他の伝送装置１が伝送路障害などのためにデータ信号ＤＴを当該伝送装置１に向けて分岐させることができない場合であっても、別の伝送装置１を検出して、データ信号ＤＴを当該伝送装置１に向けて分岐させることができる。
【０１４０】
一方、他の伝送装置１を検出されなかった場合（ステップＳｔ３７のＮＯ）、制御部１４ａは、ネットワーク管理装置９２に、伝送経路の設定の失敗を通知する（ステップＳｔ３８）。このようにして、要求側伝送装置１は、伝送経路の設定処理を行う。
【０１４１】
一方、図２０は、本実施例における非要求側伝送装置１の動作を示すフローチャートである。制御部１４ａは、要求信号ＲＥＱを受信すると（ステップＳｔ４１のＹＥＳ）、要求信号ＲＥＱが自装置１宛てであるか否かを判定する（ステップＳｔ４２）。ここで、要求信号ＲＥＱの宛先を示す宛先情報は、例えば、ＯＴＵフレーム６０のＯＤＵヘッダ（ＧＣＣ１，２，またはＲＥＳ）に含まれてもよい。
【０１４２】
要求信号ＲＥＱが自装置１宛てである場合（ステップＳｔ４２のＹＥＳ）、制御部１４ａは、要求されるデータ信号ＤＴを、要求信号ＲＥＱの送信元方路へ送信するための空き帯域の有無を確認する（ステップＳｔ４３）。すなわち、制御部１４ａは、帯域情報記憶部１３０を参照し、該当する方路について、要求信号ＲＥＱに含まれる帯域コードが示す帯域の確保の可否を判定する。
【０１４３】
空き帯域がない場合（ステップＳｔ４３のＮＯ）、制御部１４ａは、処理を終了する。一方、空き帯域がある場合（ステップＳｔ４３のＹＥＳ）、制御部１４ａは、応答信号ＲＳＰを、要求信号ＲＥＱの送信元の方路へ送信する（ステップＳｔ４４）。
【０１４４】
次に、制御部１４ａは、要求されるデータ信号ＤＴと同じデータ信号ＤＴ（ＯＤＵ信号Ｓｄ）を分岐させて、要求信号ＲＥＱの送信元の方路へ送信する（ステップＳｔ４５）。このとき、制御部１４ａは、要求されるデータ信号ＤＴ（ＯＤＵ信号Ｓｄ）が、当初の方路と、要求側伝送装置１に向かう方路とに分岐するように、スイッチ部１３を設定する（図２の符号ｄ２、ｄ３参照）。
【０１４５】
一方、受信した要求信号ＲＥＱが自装置１宛てではない場合（ステップＳｔ４２のＮＯ）、非要求側伝送装置１は、以降において、制御情報及びデータ信号ＤＴ（ＯＤＵ信号Ｓｄ）を転送する転送装置として振る舞う。
【０１４６】
まず、制御部１４ａは、帯域情報記憶部１３０を参照し、要求されるデータ信号ＤＴを、要求信号ＲＥＱの送信元方路へ送信するための空き帯域の有無を確認する（ステップＳｔ４６）。なお、本処理は、上述したステップＳｔ４３と同様であるので、ステップＳｔ４３の処理と統合されたうえで、例えばステップＳｔ４１の後に行われてもよい。
【０１４７】
空き帯域がない場合（ステップＳｔ４６のＮＯ）、制御部１４ａは、処理を終了する。一方、空き帯域がある場合（ステップＳｔ４６のＹＥＳ）、制御部１４ａは、要求信号ＲＥＱを、宛先情報が示す宛先の方路へ転送する（ステップＳｔ４７）。
【０１４８】
次に、制御部１４ａは、応答信号ＲＳＰの受信の有無を判定する（ステップＳｔ４８）。制御部１４ａは、一定時間内に応答信号ＲＳＰを受信しなかった場合（ステップＳｔ４８のＮＯ）、処理を終了する。一方、一定時間内に応答信号ＲＳＰを受信した場合（ステップＳｔ４８のＹＥＳ）、制御部１４ａは、受信した応答信号ＲＳＰを、要求信号ＲＥＱの送信元の方路へ転送する（ステップＳｔ４９）。
【０１４９】
次に、制御部１４ａは、応答信号ＲＳＰの送信元の方路の信号識別情報を参照する（ステップＳｔ５０）。次に、制御部１４ａは、要求されるデータ信号ＤＴの信号識別情報が、第１識別情報記憶部１３１に記憶されているか否かを検出する（ステップＳｔ５１）。つまり、制御部１４ａは、第１識別情報記憶部１３１を参照し、当該伝送装置１が、要求信号ＲＥＱに含まれる信号識別情報が示すデータ信号ＤＴを受信しているか否かを検出する。
【０１５０】
要求されるデータ信号ＤＴの信号識別情報が検出されない場合（ステップＳｔ５１のＮＯ）、制御部１４ａは、処理を終了する。一方、要求されるデータ信号ＤＴの信号識別情報が検出された場合（ステップＳｔ５１のＹＥＳ）、制御部１４ａは、要求されるデータ信号ＤＴ（ＯＤＵ信号Ｓｄ）を、要求信号ＲＥＱの送信元の方路へ転送する（ステップＳｔ５２）。このとき、制御部１４ａは、要求されるデータ信号ＤＴ（ＯＤＵ信号Ｓｄ）が、要求信号ＲＥＱの送信元の方路へ送信されるように、スイッチ部１３を設定する。このようにして、非要求側伝送装置１は、伝送経路の設定処理を行う。
【０１５１】
このように、本実施例において、要求側伝送装置１は、当該伝送装置１に要求されるデータ信号ＤＴを受信している他の伝送装置１を識別するノード番号（装置識別情報）を記憶する管理テーブル記憶部１３２を有する。制御部１４ａは、ノード番号に基づき、当該伝送装置１に要求されるデータ信号ＤＴを受信している他の伝送装置１を検出する。
【０１５２】
したがって、本実施例によれば、予め設定された管理テーブル記憶部１３２のノード番号に基づいて、当該伝送装置１に要求されるデータ信号ＤＴを受信している他の伝送装置１を、より迅速に検出できる。
【０１５３】
また、本実施例において、制御部１４ａは、検出した伝送装置１だけに要求信号ＲＥＱを送信するので、先の実施例とは異なり、応答信号ＲＳＰの受信後の通信を行うことがない。このため、本実施例によれば、伝送経路の設定処理を単純化できる。
【０１５４】
これまで述べた実施例において、要求側伝送装置１は、障害発生を契機として、該伝送路障害Ｆにより受信できなくなったデータ信号ＤＴ（要求されるデータ信号ＤＴ）を受信している他の伝送装置１を検出するが、これに限定されない。
【０１５５】
要求側伝送装置１は、図２１に示されるように、受信装置９１から、データ信号ＤＴの送信を指示する送信指示信号ＣＭＤを受信したことを契機として、当該伝送装置１に要求されるデータ信号ＤＴを受信している他の伝送装置１を検出してもよい。このような場合としては、例えば、新たな受信装置９１が設定された場合が想定される。
【０１５６】
この場合、要求側伝送装置１は、データ信号ＤＴを受信している他の伝送装置１を検出するに先立って、当該伝送装置１が該データ信号を受信しているか否かを判定する。図２２は、この場合の要求側伝送装置のデータ信号ＤＴの検出処理を示すフローチャートである。
【０１５７】
制御部１４，１４ａは、受信装置９１から送信指示信号ＣＭＤを受信すると（ステップＳｔ６１のＹＥＳ）、第１識別情報記憶部に記憶された各方路の信号識別情報を参照する（ステップＳｔ６２）。制御部１４，１４ａは、送信指示信号ＣＭＤにより要求されるデータ信号ＤＴの信号識別情報を検出すると（ステップＳｔ６３のＹＥＳ）、要求されるデータ信号ＤＴを受信装置９１に送信する（ステップＳｔ６４）。つまり、制御部１４，１４ａは、当該伝送装置１が、要求されるデータ信号ＤＴを受信している場合、該データ信号ＤＴが受信装置９１に送信されるようにスイッチ部１３を設定する。
【０１５８】
一方、要求されるデータ信号ＤＴの信号識別情報が検出されないとき（ステップＳｔ６３のＮＯ）、制御部１４，１４ａは、要求されるデータ信号ＤＴと同じデータ信号ＤＴを受信している他の伝送装置１の検出処理を実行する（ステップＳｔ６５）。つまり、制御部１４，１４ａは、当該伝送装置１が、要求されるデータ信号ＤＴを受信していない場合、図１３または図１９を参照して既に述べた処理を実行する。このようにして、要求側伝送装置１は、データ信号ＤＴの検出処理を行う。
【０１５９】
このように、実施例に係る伝送装置１は、障害発生によりデータ信号ＤＴを受信できなくなったとき、または受信装置９１からデータ信号ＤＴの送信指示を受けたとき、自律的にデータ信号ＤＴの伝送経路を設定する。
【０１６０】
なお、これまで、要求側伝送装置１として、受信装置９１に隣接するノード（３−１）〜（３−３）の伝送装置１を例に挙げて説明したが、これに限定されず、他ノードの伝送装置１を要求側伝送装置１としても、同様の構成により伝送経路の設定が可能である。この場合、要求側伝送装置１の制御部１４，１４ａは、非要求側伝送装置１から伝送されたデータ信号ＤＴが、送信側ＯＤＵ処理部１２０に代えて、該当する方路の送信側ＯＤＵ処理部１１０に出力されるように、スイッチ部１３を設定する。
【０１６１】
これまで述べたように、実施例に係る伝送装置１は、メッシュ状のネットワーク８に接続され、制御部１４，１４ａを有する。制御部１４，１４ａは、当該伝送装置１に要求されるデータ信号ＤＴと同じデータ信号ＤＴを受信している他の伝送装置１を検出し、検出した該他の伝送装置１から当該伝送装置１に向けて該データ信号ＤＴを分岐させる。
【０１６２】
したがって、実施例に係る伝送装置１は、データ信号ＤＴの送信元であるサーバ９０から受信装置９１までの伝送経路を設定する手間を省き、データ信号ＤＴを、検出した他の伝送装置１から当該伝送装置１まで伝送することができる。よって、本実施例によれば、ブロードキャスト配信の伝送経路を迅速に設定できる。
【０１６３】
また、実施例に係る伝送システムは、メッシュ状のネットワーク８に接続された複数の伝送装置１を有する。複数の伝送装置１のうち、要求側伝送装置１は、当該伝送装置１に要求されるデータ信号ＤＴと同じデータ信号ＤＴを受信している他の伝送装置１（非要求側伝送装置１）を検出し、検出した該他の伝送装置１から当該伝送装置１に向けて該データ信号ＤＴを分岐させる。非要求側伝送装置１は、要求側伝送装置１により検出されたとき、該受信しているデータ信号ＤＴを、要求側伝送装置１に向けて分岐させる。
【０１６４】
実施例に係る伝送システムは、実施例に係る伝送装置１を含むので、上述した内容と同様の作用効果を奏する。
【０１６５】
実施例に係る伝送方法は、メッシュ状のネットワーク８に接続された複数の伝送装置１の１つに要求されるデータ信号ＤＴを受信している他の伝送装置１を検出し、検出した他の伝送装置１から該複数の伝送装置の１つに向けて該データ信号ＤＴを分岐させる工程を有する。
【０１６６】
したがって、実施例に係る伝送方法は、上述した内容と同様の作用効果を奏する。
【０１６７】
以上、好ましい実施例を参照して本発明の内容を具体的に説明したが、本発明の基本的技術思想及び教示に基づいて、当業者であれば、種々の変形態様を採り得ることは自明である。
【０１６８】
なお、以上の説明に関して更に以下の付記を開示する。
（付記１）  メッシュ状のネットワークに接続される伝送装置であって、
当該伝送装置に要求されるデータ信号と同じデータ信号を受信している前記ネットワーク内の他の伝送装置を検出し、検出した該他の伝送装置から当該伝送装置に向けて該データ信号を分岐させる制御部を有することを特徴とする伝送装置。
（付記２）  前記制御部は、当該伝送装置に要求されるデータ信号を識別するための信号識別情報を含む要求信号を前記ネットワーク内の他の伝送装置に送信し、他の伝送装置から前記要求信号に対する応答信号を受信することにより、当該伝送装置に要求されるデータ信号と同じデータ信号を受信している他の伝送装置を検出することを特徴とする付記１に記載の伝送装置。
（付記３）  前記制御部は、複数の他の伝送装置から受信した前記応答信号のうち、最も早く受信した前記応答信号を送信した伝送装置のデータ信号を、当該伝送装置に分岐させることを特徴とする付記２に記載の伝送装置。
（付記４）  当該伝送装置に要求されるデータ信号と同じデータ信号を受信している他の伝送装置を識別する装置識別情報を記憶する記憶部を、さらに有し、
前記制御部は、前記装置識別情報に基づき、当該伝送装置に要求されるデータ信号と同じデータ信号を受信している他の伝送装置を検出することを特徴とする付記１に記載の伝送装置。
（付記５）  前記記憶部は、前記装置識別情報を、伝送装置ごとに優先度に対応付けて記憶し、
前記制御部は、前記装置識別情報に基づき検出した他の伝送装置が、当該伝送装置に向けてデータ信号を分岐できない場合、該検出した他の伝送装置より前記優先度が低い別の伝送装置を、前記装置識別情報に基づき、さらに検出することを特徴とする付記４に記載の伝送装置。
（付記６）  メッシュ状のネットワークに接続された複数の伝送装置を有し、
前記複数の伝送装置の少なくとも１つは、当該伝送装置に要求されるデータ信号と同じデータ信号を受信している前記ネットワーク内の他の伝送装置を検出し、検出した該他の伝送装置から当該伝送装置に向けて該データ信号を分岐させ、
前記他の伝送装置は、前記複数の伝送装置の少なくとも１つにより検出されたとき、該受信しているデータ信号を、前記複数の伝送装置の少なくとも１つに向けて分岐させることを特徴とする伝送システム。
（付記７）  前記複数の伝送装置の少なくとも１つは、当該伝送装置に要求されるデータ信号を識別するための信号識別情報を含む要求信号を前記他の伝送装置に送信し、前記他の伝送装置から前記要求信号に対する応答信号を受信することにより、当該伝送装置に要求されるデータ信号と同じデータ信号を受信している前記他の伝送装置を検出し、
前記他の伝送装置は、当該伝送装置が受信しているデータ信号を識別する信号識別情報から、前記要求信号に含まれる前記信号識別情報に一致する信号識別情報を検索し、一致する信号識別情報が検索された場合、前記応答信号を、前記複数の伝送装置の少なくとも１つに送信することを特徴とする付記６に記載の伝送システム。
（付記８）  前記他の伝送装置は、前記要求信号に含まれる前記信号識別情報に一致する信号識別情報が検索されなかった場合、前記要求信号を、１以上の他の伝送装置に転送することを特徴とする付記７に記載の伝送システム。
（付記９）  前記複数の伝送装置の少なくとも１つは、複数の他の伝送装置から受信した前記応答信号のうち、最も早く受信した前記応答信号を送信した伝送装置のデータ信号を、当該伝送装置に分岐させることを特徴とする付記７または付記８に記載の伝送システム。
（付記１０）  前記複数の伝送装置の少なくとも１つは、当該伝送装置に要求されるデータ信号と同じデータ信号を受信している他の伝送装置を識別する装置識別情報を記憶し、前記装置識別情報に基づき、当該伝送装置に要求されるデータ信号と同じデータ信号を受信している他の伝送装置を検出することを特徴とする付記６に記載の伝送システム。
（付記１１）  前記複数の伝送装置の少なくとも１つは、前記装置識別情報を、伝送装置ごとに優先度に対応付けて記憶し、前記装置識別情報に基づき検出した他の伝送装置が、当該伝送装置に向けてデータ信号を分岐できない場合、該検出した他の伝送装置より前記優先度が低い別の伝送装置を、前記装置識別情報に基づき、さらに検出することを特徴とする付記１０に記載の伝送システム。
（付記１２）  メッシュ状のネットワークに接続された複数の伝送装置の１つに要求されるデータ信号と同じデータ信号を受信している前記ネットワーク内の他の伝送装置を検出し、検出した該他の伝送装置から前記複数の伝送装置の１つに向けて該データ信号を分岐させることを特徴とする伝送方法。
（付記１３）  前記複数の伝送装置の１つに要求されるデータ信号を識別するための信号識別情報を含む要求信号を前記ネットワーク内の他の伝送装置に送信し、他の伝送装置から前記要求信号に対する応答信号を受信することにより、該要求されるデータ信号と同じデータ信号を受信している他の伝送装置を検出することを特徴とする付記１２に記載の伝送方法。
（付記１４）  複数の他の伝送装置から受信した前記応答信号のうち、最も早く受信した前記応答信号を送信した伝送装置のデータ信号を、前記複数の伝送装置の１つに分岐させることを特徴とする付記１３に記載の伝送方法。
（付記１５）  前記複数の伝送装置の１つに要求されるデータ信号と同じデータ信号を受信している他の伝送装置を識別する装置識別情報に基づき、前記複数の伝送装置の１つに要求されるデータ信号と同じデータ信号を受信している他の伝送装置を検出することを特徴とする付記１２に記載の伝送方法。
（付記１６）  前記装置識別情報は、伝送装置ごとに優先度に対応付けられ、
前記装置識別情報に基づき検出した他の伝送装置が、前記複数の伝送装置の１つに向けてデータ信号を分岐できない場合、該検出した他の伝送装置より前記優先度が低い別の伝送装置を、前記識装置別情報に基づき、さらに検出することを特徴とする付記１５に記載の伝送方法。
【符号の説明】
【０１６９】
１                    伝送装置
８                    ネットワーク
１３                  スイッチ部
１３０                第１識別情報記憶部
１２４                第２識別情報記憶部
１３２                管理テーブル記憶部（記憶部）
１４，１４ａ          制御部
１２０                送信側ＯＤＵ処理部
ＤＴ                  データ信号
【図１】
2015073225.tif 000003
【図２】
2015073225.tif 000004
【図３】
2015073225.tif 000005
【図４】
2015073225.tif 000006
【図５】
2015073225.tif 000007
【図６】
2015073225.tif 000008
【図７】
2015073225.tif 000009
【図８】
2015073225.tif 000010
【図９】
2015073225.tif 000011
【図１０】
2015073225.tif 000012
【図１１】
2015073225.tif 000013
【図１２】
2015073225.tif 000014
【図１３】
2015073225.tif 000015
【図１４】
2015073225.tif 000016
【図１５】
2015073225.tif 000017
【図１６】
2015073225.tif 000018
【図１７】
2015073225.tif 000019
【図１８】
2015073225.tif 000020
【図１９】
2015073225.tif 000021
【図２０】
2015073225.tif 000022
【図２１】
2015073225.tif 000023
【図２２】
2015073225.tif 000024